(57)【特許請求の範囲】
【請求項１】
金属板からなる両側の側壁部、天板部、底板部、後壁部、前下壁を板金加工及び溶接により組み立ててなる洗浄槽内の食器籠に食器を入れ、食器の洗浄、食器の濯ぎ，食器の乾燥を順次行うようにした食器洗い乾燥機において、底板部と前下壁とを１枚の金属板を曲げ加工して形成すると共に、側壁部と底板部との間及び側壁部と前下壁との間の稜線の部分を溶接部にて接合することで、洗浄槽の前面に前面開口を設けると共に前面開口の下方に洗浄槽の底面から立ち上がり左右方向の中央部がスプリングバックにより前方に突出するように彎曲した前下壁を設け、上記前面開口を閉塞し得るドアをドアの下部を回転自在に支持することで開閉自在に設け、ドアの閉塞した状態で洗浄槽の前下壁の内面側に位置する突片部をドアの内面側の下部に左右方向に亙って設け、突片部の先端に洗浄槽の内面との間のシールをするドア下パッキンを左右方向に亙って装着し、ドアを閉塞した状態で前下壁の彎曲した内面に左右方向に亙って沿うように左右方向に亙る彎曲面を有するリブをドア下パッキンに一体に設けて成ることを特徴とする食器洗い乾燥機。
【発明の詳細な説明】
【０００１】
【発明の属する技術分野】
本発明は、食器の洗浄、濯ぎ、乾燥を順次行う食器洗い乾燥機に関し、詳しくは、洗浄槽の前面開口に開閉自在に装着するドアの下端部をシールする構造に関するものである。
【０００２】
【従来の技術】
一般の食器洗い乾燥機にあっては、洗浄槽内に食器籠や洗浄ノズルを有しており、食器籠に汚れた食器を保持し、次のように洗浄過程、濯ぎ過程、乾燥過程を経て食器の洗浄から乾燥までを行うようになっている。洗浄過程では洗浄槽に水または温水の洗浄水を供給すると共に洗剤を供給し、洗浄水を循環させると共に回転駆動される洗浄ノズルから洗浄水を食器に吹き付けて食器を洗浄し、食器を洗浄した後に汚れた洗浄水を排水する。濯ぎ過程では、洗浄槽に水または温水の濯ぎ水を供給し、濯ぎ水を循環させると共に回転駆動される洗浄ノズルから濯ぎ水を吹き付けて食器を濯ぎ、食器を濯いだ後に濯ぎ水を排水する。乾燥過程では、濯ぎ終えた食器を加熱や温風にて乾燥する。
【０００３】
この種の食器洗い乾燥機は図１乃至図４に示すように洗浄槽１の前面には食器籠２を出し入れするために前面開口３が設けられており、前面開口３の下方には洗浄槽１の底部に洗浄水や濯ぎ水を溜めるために前下壁４を立ち上げてある。また前面開口３には洗浄時や濯ぎ時や乾燥時に前面開口３を閉じるためのドア５を開閉自在に設けてある。このドア５はドア５の下部を軸６にて回転自在に支持することで開閉自在にしてある。またドア５の内面側の下端から左右方向に亙るように突片部７を突設してあり、ドア５を閉じたときに突片部７が前下壁４の内面側に位置するようにしてある。この突片部７の先端にはゴム等の弾性体にて形成せるドア下パッキン８を左右方向に亙って装着してある。
【０００４】
従来のドア下パッキン８は図８に示すようにように形成されており、上記突片部７の左右方向の亙るパッキン本体９に長手方向に亙るようにシール片１０を一体に設けてあり、またパッキン本体９には長手方向の両端を除いてパッキン本体９を補強するためのリブ１２′が一体に突設してある。このドア下パッキン８を装着することでドア５を閉じたときシール片１０が洗浄槽１の底板部１３と前下壁４との境の部分の内面に弾接してシールされて洗浄時や濯ぎ時に水が漏れなく、また乾燥時に温風が漏れないようになっている。
【０００５】
【発明が解決しようとする課題】
ところで、上記洗浄槽１はステンレス鋼板のような金属板を板金加工や溶接することにより図７に示すように組み立てられるものである。つまり、両側の側壁部１４と天板部１５とは１枚の金属板を曲げ加工することにより形成され、底板部１３と後壁部１６と前下壁４とは１枚の金属板を曲げ加工することにより形成され、天板部１５と後壁部１６との間、側壁部１４と後壁部１６との間、側壁部１４と底板部１３との間、及び側壁部１４と前下壁４との間の稜線の部分が溶接部１７にて接合されている。上記前下壁４は底板部１３に対して曲げることにより形成されるため、洗浄槽１を組み立てた状態でもスプリングバックにより元に戻ろうとする力が働く、このとき前下壁４に押しと称されるリブ部１８を２条設けてあるといえども、前下壁４の左右方向の中央部が前方に突出するように彎曲する。つまり、左右方向の中央部が前に突出するように円弧状に彎曲する。
【０００６】
ドア下パッキン８が上記のような構造のため、ドア５を閉じたときドア下パッキン８のシール片１０が洗浄槽１の内面に弾接してもリブ１２′の部分では図９に示すようにドア下パッキン８と前下壁４の内面との間に隙間Ｓ１（図９の斜線で示す部分）ができる。このため、シール片１０の弾接で防水されているだけで、運転時の洗浄槽１からの音漏れを遮断し難く、運転時の騒音が大きいという問題がある。
【０００７】
本発明は叙述の点に鑑みてなされたものであって、ドアと洗浄槽の前下壁との間からの運転時の音漏れを防止して運転時の騒音を低減できる食器洗い乾燥機を提供することを課題とする。
【０００８】
【課題を解決するための手段】
上記課題を解決するため本発明の食器洗い乾燥機は、金属板からなる両側の側壁部１４、天板部１５、底板部１３、後壁部１６、前下壁４を板金加工及び溶接により組み立ててなる洗浄槽１内の食器籠２に食器を入れ、食器の洗浄、食器の濯ぎ，食器の乾燥を順次行うようにした食器洗い乾燥機において、底板部１３と前下壁４とを１枚の金属板を曲げ加工して形成すると共に、側壁部１４と底板部１３との間及び側壁部１４と前下壁４との間の稜線の部分を溶接部１７にて接合することで、洗浄槽１の前面に前面開口３を設けると共に前面開口３の下方に洗浄槽１の底面から立ち上がり左右方向の中央部がスプリングバックにより前方に突出するように彎曲した前下壁４を設け、上記前面開口３を閉塞し得るドア５をドア５の下部を回転自在に支持することで開閉自在に設け、ドア５の閉塞した状態で洗浄槽１の前下壁４の内面側に位置する突片部７をドア５の内面側の下部に左右方向に亙って設け、突片部７の先端に洗浄槽１の内面との間のシールをするドア下パッキン８を左右方向に亙って装着し、ドア５を閉塞した状態で前下壁４の彎曲した内面に左右方向に亙って沿うように左右方向に亙る彎曲面１２ａを有するリブ１２をドア下パッキン８に一体に設けて成ることを特徴とする。ドア５を閉じたとき、ドア下パッキン８のリブ１２の彎曲面１２ａが前下壁４の内面に隙間なく密着するものであって、運転時の洗浄槽１内からの音漏れを防止して運転時の騒音を低減できる。
【０００９】
【発明の実施の形態】
食器洗い乾燥機は図１や図２に示すように構成されている。食器洗い乾燥機の外箱２０内には洗浄槽１を内装してあり、外箱２０に前面に配置したドア５にて洗浄槽１の前面開口３を開閉自在にしてある。ドア５はドア５の下部を外箱２０に回転自在に支持することで開閉自在にしてあり、ドア５を上下に回動することで前面開口３を開閉できるようになっている。ドア５の上部の外面には操作パネル部２１を設けてあり、操作パネル部２１の下方にはドア５のロックをしたり、ロックを解除したりするロック操作レバー２２を設けてある。
【００１０】
上記洗浄槽１はステンレス鋼板のような金属板を板金加工したり溶接したりして図７に示すように組み立てられている。両側の側壁部１４と天板部１５とは１枚の金属板を曲げ加工することにより形成され、底板部１３と後壁部１６と前下壁４とは１枚の金属板を曲げ加工することにより形成され、天板部１５と後壁部１６との間、側壁部１４と後壁部１６との間、側壁部１４と底板部１３との間、及び側壁部１４と前下壁４との間の稜線の部分が溶接部１７にて接合されている。前面開口３の下部の前下壁４は底板部１３に対して曲げることにより形成されるため、洗浄槽１を組み立てた状態でもスプリングバックにより元に戻ろうとする力が働く、このとき前下壁４に押しと称されるリブ部１８を２条設けてあるといえども、前下壁４の左右方向の中央部が前方に突出するように彎曲している。
【００１１】
洗浄槽１内には食器を保持する食器籠２を内装してあり、食器籠２が摺動することにより引き出し状に出し入れ自在にしてある。図示の例では食器籠２が上食器籠２ａと下食器籠２ｂとで構成されている。また洗浄槽１内には洗浄ノズル２３を設けてあり、洗浄ノズル２３から噴射した洗浄水を食器に当てて食器を洗浄するようになっている。この洗浄ノズル２３としては上洗浄ノズル２３ａと下洗浄ノズル２３ｂとがあり、上洗浄ノズル２３ａが上食器籠２ａに対応させてあり、下洗浄ノズル２３ｂが下食器籠２ｂの下に対応させてある。洗浄槽１の底部には通電することにより加熱するヒータ２４を配置してある。
【００１２】
また洗浄槽１の後壁部１６には給水口２５を設けてあり、給水管路２６が給水電磁弁２７を介して給水口２５に連通させてある。洗浄槽１の下方には洗浄ポンプ２８を配置してあり、洗浄槽１内の洗浄水を汲み上げて噴射するようになっている。また洗浄槽１の下方には排水ポンプ２９を配置してあり、洗浄槽１内の洗浄水を排水できるようになっている。また洗浄槽１の上方には乾燥ファン３０を配置してあり、乾燥ファン３０を駆動することで温風を循環させて食器を乾燥できるようになっている。
【００１３】
上記のように食器洗い乾燥機が構成され、例えば次のように食器の洗浄が行われる。ドア５を開いて食器籠２を引き出した状態で汚れた食器が食器籠２にセットされ、食器籠２が洗浄槽１内に収納されると共に洗剤が投入され、ドア５が閉じられる。ドア５を閉じてから洗浄過程に入るが、洗浄過程では給水口２５から水または温水の洗浄水が洗浄槽１に供給され、所定量の洗浄水が洗浄槽１に供給された状態でヒータ２４に通電されて洗浄水が加熱され、洗浄ポンプ２８が駆動される。すると、洗浄槽１内の洗浄水が汲み上げられ、洗浄ノズル２３から洗浄水が噴射するように洗浄水が循環し、洗浄ノズル２３から噴射した洗浄水を食器に当てて食器が洗浄される。上記のようにして所定の時間洗浄をした後、排水ポンプ２９が駆動されて汚れた洗浄水が排水され、次に濯ぎ過程に入る。濯ぎ過程では給水口２５から水または湯が濯ぎ水として供給され、所定の濯ぎ水が供給された状態で洗浄ポンプ２８が駆動され、洗浄と同様に洗浄ノズル２３から噴射した濯ぎ水を食器を当てて濯がれ、所定の時間濯がれた後に排水ポンプ２９が駆動されて排水される。濯ぎ過程では上記濯ぎ動作が複数回繰り返して行われる。濯ぎを終えた後、乾燥過程に入り、食器が乾燥される。乾燥過程では乾燥ファン３０が駆動されると共にヒータ２４に通電され、温風を循環させることにより食器が乾燥される。
【００１４】
上記のような食器洗い乾燥機では洗浄槽１の前面開口３がドア５にて開閉されるが、ドア５の下部は外箱２０の左右の両側の下部に設けたドア部ヒンジ３１に軸６にて回転自在に支持してあり、軸６を中心にドア５が回転することで開閉される。洗浄槽１の前下壁４の前方で外箱２０の前面の下部には配管カバー３２を着脱自在に装着してあり、配管カバー３２を外すことで内部の配管等の点検ができるようになっている。上記ドア５を閉じた状態ではドア５の下端面と配管カバー３２との間には隙間Ｓ２が形成されてるようになっており、この隙間Ｓ２によりドア５が弊害なく回転して開閉できるようになっている。ドア５の内面側は内ドア部５ａとなっており、図３、図４に示すように内ドア部５ａの下端から左右方向に亙って下方に突出するように突片部７を突設してあり、ドア５を閉じたとき突片部７が前下壁４の内面側に位置するようにしてある。この突片部７の先端にはゴム等の弾性体にて形成せるドア下パッキン８を左右方向に亙って装着してある。
【００１５】
このドア下パッキン８は図５に示すように形成されており、上記突片部７の左右方向の亙るパッキン本体９に長手方向に亙るようにシール片１０を一体に設けてあり、パッキン本体９の長手方向の両端に側部取り付け部１１を一体に設けてあり、またパッキン本体９には上記シール片１０と直交する方向に突出するリブ１２をパッキン本体９の長手方向の全長に亙って設けてある。本発明の場合、上記リブ１２の先端縁が上記前下壁４の彎曲した内面に沿う彎曲面１２ａにしてある。このドア下パッキン８は突片部７の下部に沿って配置され、ドア下パッキン取り付け板と突片部７とでドア下パッキン８を挟むようにビス等の固着具を締結することでドア下パッキン８が取り付けられている。このときドア下パッキン８の側部取り付け部１１がドア５の突片部７の左右方向の両端に嵌め込みんで取り付けられるようになっており、パッキン本体９が左右方向に引っ張って保持されるようになっている。
【００１６】
図３はドア５を開いた状態であり、図４はドア５を閉じた状態であるが、図４に示すようにドア５を閉じた状態ではドア下パッキン８のシール片１０が洗浄槽１の底板部１３と前下壁４との境の部分の内面に弾接してシールされて洗浄時や濯ぎ時に水が漏れなく、また乾燥時に温風が漏れないようになっている。そして本発明の場合、ドア５を閉じたときリブ１２の先端縁の彎曲面１２ａが図６に示すように前下壁４の彎曲した内面に密着してこの部分でも遮蔽され、運転時に洗浄槽１内から隙間Ｓ２を介して外部に音が漏れるのが低減され、運転時の騒音値を低減することができる。
【００１７】
【発明の効果】
本発明は叙述の如くドアを閉塞した状態で前下壁の彎曲した内面に左右方向に亙って沿うように左右方向に亙る彎曲面を有するリブをドア下パッキンに一体に設けているので、ドアを閉じたとき、ドア下パッキンのリブの彎曲面が前下壁の内面に隙間なく密着するものであって、運転時の洗浄槽内からの音漏れを防止して運転時の騒音を低減できるものである。
【図面の簡単な説明】
【図１】本発明の実施の形態の一例を示す側面から見た断面図である。
【図２】同上の正面図である。
【図３】同上の要部のドアを開いた状態の側面から見た断面図である。
【図４】同上の要部のドアを閉じた状態の側面から見た断面図である。
【図５】同上のドア下パッキンを示し、（ａ）は平面図、（ｂ）は正面図、（ｃ）は底面図、（ｄ）は側面図である。
【図６】同上の洗浄槽とドア下パッキンとの関係を示す平面図である。
【図７】同上の洗浄槽を示す概略斜視図である。
【図８】従来例のドア下パッキンを示し、（ａ）は平面図、（ｂ）は正面図、（ｃ）は底面図、（ｄ）は側面図である。
【図９】従来の洗浄槽とドア下パッキンの関係を示す平面図である。
【符号の説明】
１  洗浄槽
２  食器籠
３  前面開口
４  前下壁
５  ドア
７  突片部
８  ドア下パッキン
１２  リブ
１２ａ  彎曲面
【図１】
0004486234.tif 000002
【図２】
0004486234.tif 000003
【図３】
0004486234.tif 000004
【図４】
0004486234.tif 000005
【図５】
0004486234.tif 000006
【図６】
0004486234.tif 000007
【図７】
0004486234.tif 000008
【図８】
0004486234.tif 000009
【図９】
0004486234.tif 000010